(57)【特許請求の範囲】
【請求項１】
把持工具の先端部に取付けられ、間接活線作業で電線の被覆を剥ぎ取るための電線被覆剥取先端工具であって、
前記電線を収容可能な空間部を有する半円筒状に形成された第１の電線保持部と、
前記第１の電線保持部の内周面部の軸方向と、内周面部の軸方向両端部の全周とに亘って配設された第１の電熱線と、
前記第１の電線保持部の内周面部に配設され、かえし部が形成されている第１の引掛針と、
前記第１の電線保持部と対向する形状に形成された半円筒状の第２の電線保持部と、
前記第２の電線保持部の内周面部の軸方向と、内周面部の軸方向両端部の全周とに亘って配設された第２の電熱線と、
前記第２の電線保持部の内周面部に配設され、かえし部が形成されている第２の引掛針と、
を備え、
前記第１の引掛針は、前記第１の電線保持部の円弧上端部に、前記第１の電線保持部と前記第２の電線保持部とが対向する面に対して略垂直方向に突出して形成され、
前記第２の引掛針は、前記第２の電線保持部の円弧下端部に、前記第１の電線保持部と前記第２の電線保持部とが対向する面に対して略垂直方向に突出して形成され、
前記第１の電線保持部と、前記第２の電線保持部とを前記把持工具の先端部に装着し、前記第１の電線保持部と前記第２の電線保持部とによって前記電線を狭持すると、前記第１の電熱線と前記第２の電熱線によって前記電線の被覆が切断され、前記第１の電線保持部と前記第２の電線保持部とを離接させると、前記第１の引掛針と前記第２の引掛針とによって切断された前記電線の被覆が剥ぎ取られる、
ことを特徴とする電線被覆剥取先端工具。
【請求項２】
前記第１の電線保持部には、前記第１の引掛針に隣接して第１の押入針が設けられ、
前記第２の電線保持部には、前記第２の引掛針に隣接して第２の押入針が設けられている、
ことを特徴とする請求項１に記載の電線被覆剥取先端工具。
【発明の詳細な説明】
【技術分野】
【０００１】
この発明は、間接活線作業の把持工具を使用して電線被覆を容易に剥ぎ取る電線被覆剥取先端工具に関する。
【背景技術】
【０００２】
電線被覆を剥ぎ取る際には、ナイフを含む刃物によって被覆に切れ目を入れて、電線から剥がしている。具体的には、片方の手で電線を強固に把持して、他方の手に把持したナイフによって電線の被覆に切れ目を入れて、被覆を電線から剥がすため、誤ってナイフが他の場所に接触しないように十分に注意を払う必要がある。また、電線は経年により劣化して硬化し、ナイフによって切れ目を入れたり、剥がしたりすることが困難になる場合がある。さらに、被覆に切れ目を入れる際に、誤ってナイフが電線の芯線に接触してしまうと、損傷するおそれがある。電線の芯線の損傷は、機械的強度の低下につながる。
【０００３】
電線の被覆を切り込む刃に刃先加熱用のヒーターを設ける、という技術が知られている（例えば、特許文献１参照。）。この技術は、凹半円刃先の一対の円周切り込み刃と、該凹半円刃先の底の中心を結ぶ線上にストレート刃先を有する直線切り込み刃からなるストリッパー刃が刃先対向の対称に組合され、かつ、その刃先の加熱手段と上下作動機構を有するものである。
【先行技術文献】
【特許文献】
【０００４】
【特許文献１】実開平０５−０２９２２５号公報
【発明の概要】
【発明が解決しようとする課題】
【０００５】
ところで、上記特許文献１の技術では、直線切り込み刃によって電線を狭持する必要があり、位置を合わせることが困難である。このため、間接活線作業の把持工具などによって、手元から離れた場所で作業することは極めて困難である。
【０００６】
そこでこの発明は、間接活線作業によって電線被覆を容易に剥ぎ取る電線被覆剥取先端工具を提供することを目的とする。
【課題を解決するための手段】
【０００７】
上記課題を解決するために、請求項１の発明は、把持工具の先端部に取付けられ、間接活線作業で電線の被覆を剥ぎ取るための電線被覆剥取先端工具であって、前記電線を収容可能な空間部を有する半円筒状に形成された第１の電線保持部と、前記第１の電線保持部の内周面部の軸方向と、内周面部の軸方向両端部の全周とに亘って配設された第１の電熱線と、前記第１の電線保持部の内周面部に配設され、かえし部が形成されている第１の引掛針と、前記第１の電線保持部と対向する形状に形成された半円筒状の第２の電線保持部と、前記第２の電線保持部の内周面部の軸方向と、内周面部の軸方向両端部の全周とに亘って配設された第２の電熱線と、前記第２の電線保持部の内周面部に配設され、かえし部が形成されている第２の引掛針と、を備え、前記第１の引掛針は、前記第１の電線保持部の円弧上端部に、前記第１の電線保持部と前記第２の電線保持部とが対向する面に対して略垂直方向に突出して形成され、前記第２の引掛針は、前記第２の電線保持部の円弧下端部に、前記第１の電線保持部と前記第２の電線保持部とが対向する面に対して略垂直方向に突出して形成され、前記第１の電線保持部と、前記第２の電線保持部とを前記把持工具の先端部に装着し、前記第１の電線保持部と前記第２の電線保持部とによって前記電線を狭持すると、前記第１の電熱線と前記第２の電熱線によって前記電線の被覆が切断され、前記第１の電線保持部と前記第２の電線保持部とを離接させると、前記第１の引掛針と前記第２の引掛針とによって切断された前記電線の被覆が剥ぎ取られる、ことを特徴とする電線被覆剥取先端工具である。
【０００８】
この発明によれば、第１の電線保持部と、第２の電線保持部とを把持工具の先端部に装着し、第１の電線保持部と第２の電線保持部とによって電線を狭持すると、第１の電熱線と第２の電熱線によって電線の被覆が切断され、第１の電線保持部と第２の電線保持部とを離接摺動させると、第１の引掛針と第２の引掛針とによって切断された電線の被覆が剥ぎ取られる。
【０００９】
請求項２の発明は、請求項１に記載の電線被覆剥取先端工具において、前記第１の電線保持部には、前記第１の引掛針に隣接して第１の押入針が設けられ、前記第２の電線保持部には、前記第２の引掛針に隣接して第２の押入針が設けられている、ことを特徴とする。
【発明の効果】
【００１０】
請求項１の発明によれば、電線被覆剥取先端工具を把持工具の先端部に装着して、第１の電線保持部と第２の電線保持部とによって電線を狭持するだけで、第１の電熱線と第２の電熱線によって電線の被覆を切断することができる。そして、第１の電線保持部と第２の電線保持部とを離接させるだけで、第１の引掛針と第２の引掛針とによって切断された電線の被覆が剥ぎ取ることができる。このため、安全かつ確実に作業ができる。しかも、電線の被覆を切断する電熱線は、電線保持部の内周面部に配設されており、外側に露出していないため、不用意に他の場所に接触することを防止できる。
【００１１】
また、誰でも簡単な操作で電線の被覆を剥ぎ取ることができるので、作業を効率的に行うことができる。
【００１２】
請求項２の発明によれば、第１の電線保持部には、第１の引掛針に隣接して第１の押入針が設けられ、第２の電線保持部には、第２の引掛針に隣接して第２の押入針が設けられているので、第１の引掛針及び第２の引掛針を電線の被覆に確実に刺すことができる。
【図面の簡単な説明】
【００１３】
【図１】この発明の実施の形態に係る電線被覆剥取先端工具を示す断面図である。
【図２】図１の電線被覆剥取先端工具の第１の電線保持部を示す正面図である。
【図３】図１の電線被覆剥取先端工具の第２の電線保持部を示す正面図である。
【図４】図１の電線被覆剥取先端工具を把持工具の先端に取り付けた状態を示す正面図である。
【図５】図１の電線被覆剥取先端工具を把持工具の先端に取り付けた状態を示す側面図である。
【発明を実施するための形態】
【００１４】
以下、この発明を図示の実施の形態に基づいて説明する。
【００１５】
図１は、この発明の実施の形態に係る電線被覆剥取先端工具１を示す断面図である。この電線被覆剥取先端工具１は、把持工具の先端部に取付けられ、間接活線作業で電線の被覆を剥ぎ取るためのものであり、主として、第１の電線保持部２と、第１のアダプタ３と、第２の電線保持部４と、第２のアダプタ５と、電源部６を備えている。
【００１６】
第１の電線保持部２は、図１、図２に示すように、電線Ｅを収容可能な空間部を有する半円筒状に形成されたものであり、後述する第２の電線保持部４とともに、被覆を剥ぎ取る電線Ｅの外周を保持するものである。この第１の電線保持部２の内周面部には、第１の電熱線２１、２２、２３と、第１の引掛針２４、２６、２８と、第１の押入針２５、２７、２９が配設されている。第１の電線保持部２は、電線Ｅの被覆を剥ぎ取る対象部と同等の長さに設定されている。
【００１７】
第１の電熱線２１、２２、２３は、電線Ｅの被覆を熱によって切断するものであり、例えば、ニクロム線などで構成されており、電線Ｅの被覆を切断可能な温度まで、電源線６１を介して接続された電源部６によって加熱される。第１の電熱線２１は、第１の電線保持部２の軸方向（長手方向）に沿って、内周面部の上側に直線状に配設されている。第１の電熱線２２は、第１の電線保持部２の円周方向に沿って、内周面部の一端側に配設されており、第１の電熱線２３は、第１の電線保持部２の円周方向に沿って、第１の電熱線２２と対向するように内周面部の他端側に配設されている。これらの第１の電熱線２１、２２、２３によって、電線Ｅの被覆は、長手方向に直線状に切断されるとともに、剥ぎ取り対象部の両端部が、円周方向に沿って切断される。
【００１８】
第１の引掛針２４、２６、２８は、第１の電熱線２１、２２、２３によって切断された電線Ｅの被覆に刺さることにより、第１の電線保持部２を開いた際に、被覆のみが第１の引掛針２４、２６、２８に引っ掛かり、電線Ｅから剥がすものである。第１の引掛針２４、２６、２８には、かえし部が形成されている。第１の引掛針２４、２６、２８は、第１の電線保持部２の軸方向（長手方向）に沿って、電熱線２１の下側に略等間隔で配設されている。
【００１９】
第１の押入針２５、２７、２９は、第１の電熱線２１、２２、２３によって切断された電線Ｅの被覆が、第１の引掛針２４、２６、２８に確実に刺さるようにするためのものである。すなわち、第１の電熱線２１、２２、２３によって切断された電線Ｅの被覆は、この第１の押入針２５、２７、２９によって押圧されることにより、第１の引掛針２４、２６、２８に刺さり易くなる。
【００２０】
第１のアダプタ３は、このように構成された第１の電線保持部２を、図４、図５に示すように、電線被覆剥取先端工具１を把持工具１００の先端部１０２に装着するためのものであり、ボルト３１によって先端部１０２に着脱可能となる。
【００２１】
第２の電線保持部４は、第１の電線保持部２と対向する形状に構成されており、第１の電線保持部２とともに、被覆を剥ぎ取る電線Ｅの外周を保持するものである。この第２の電線保持部４の内周面部には、第２の電熱線４１、４２、４３と、第２の引掛針４４、４６、４８と、第２の押入針４５、４７、４９が配設されている。
【００２２】
第２の電熱線４１、４２、４３は、第１の電熱線２１、２２、２３と同様に構成されている。第２の電熱線４１は、第２の電線保持部４の軸方向（長手方向）に沿って、内周面部の下側に直線状に配設されている。第２の電熱線４２は、第２の電線保持部４の円周方向に沿って、内周面部の一端側に配設されており、第２の電熱線４３は、第２の電線保持部４の円周方向に沿って、第２の電熱線４２と対向するように内周面部の他端側に配設されている。これらの第２の電熱線４１、４２、４３と、第１の電熱線２１、２２、２３によって、電線Ｅの被覆は、長手方向に直線状に切断されるとともに、剥ぎ取り対象部の両端部が、円周方向に沿って切断される。
【００２３】
第２の引掛針４４、４６、４８は、第１の引掛針２４、２６、２８と同様に構成されており、第２の電熱線４１、４２、４３によって切断された電線Ｅの被覆に刺さることにより、第２の電線保持部４を開いた際に、被覆のみが第２の引掛針４４、４６、４８に引っ掛かり、電線Ｅから剥がすものである。
【００２４】
第２の押入針４５、４７、４９は、第１の押入針２５、２７、２９と同様に構成されており、第２の電熱線４１、４２、４３によって切断された電線Ｅの被覆が、第２の引掛針４４、４６、４８に確実に刺さるようにするためのものである。
【００２５】
第２のアダプタ５は、第１のアダプタ３と同様に構成されており、このように構成された第２の電線保持部４を、電線被覆剥取先端工具１を把持工具１００の先端部１０２に装着するためのものであり、ボルト４１によって先端部１０３に着脱可能となる。
【００２６】
電源部６は、第１の電熱線２１、２２、２３と、第２の電熱線４１、４２、４３を加熱するための電力を電線６１、６２を介して供給する電池で構成されている。
【００２７】
次に、このような構成の電線被覆剥取先端工具１の作用および、電線被覆剥取先端工具１による電線被覆の剥ぎ取り方法について説明する。
【００２８】
まず、第１の電線保持部２と、第２の電線保持部４とを把持工具１００の先端部１０２に装着される。
【００２９】
そして、第１の電線保持部２と第２の電線保持部４とによって電線Ｅが狭持されると、第１の電熱線２１、２２、２３と第２の電熱線４１、４２、４３によって電線Ｅの被覆が切断される。
【００３０】
そして、第１の電線保持部２と第２の電線保持部４とを離接させると、第１の引掛針２４、２６、２８と第２の引掛針４４、４６、４８とによって切断された電線Ｅの被覆が剥ぎ取られる。
【００３１】
以上のように、本電線被覆剥取先端工具１によれば、電線被覆剥取先端工具１を把持工具１００の先端部１０２、１０３に装着して、第１の電線保持部２と第２の電線保持部４とによって電線Ｅを狭持するだけで、第１の電熱線２１、２２、２３と第２の電熱線４１、４２、４３によって電線Ｅの被覆を切断することができる。そして、第１の電線保持部２と第２の電線保持部４とを離接させるだけで、第１の引掛針２４、２６、２８と第２の引掛針４４、４６、４８とによって切断された電線Ｅの被覆が剥ぎ取ることができる。このため、安全かつ確実に作業ができる。しかも、電線Ｅの被覆を切断する第１の電熱線２１、２２、２３と第２の電熱線４１、４２、４３は、第１の電線保持部２や第２の電線保持部４の内周面部に配設されており、外側に露出していないため、不用意に他の場所に接触することを防止できる。
【００３２】
また、誰でも簡単な操作で電線Ｅの被覆を剥ぎ取ることができるので、作業を効率的に行うことができる。
【００３３】
さらに、第１の引掛針２４、２６、２８と第２の引掛針４４、４６、４８に形成されたかえし部によって、切断した被覆を引っ掛けて、抜け落ちることを防止することができる。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、電熱線の数、配置は、電線Ｅから被覆を確実に剥がすことができればよく、これに限定されないことはもちろんである。
【符号の説明】
【００３５】
１      電線被覆剥取先端工具
２      第１の電線保持部
２１    第１の電熱線
２２    第１の電熱線
２３    第１の電熱線
２４    第１の引掛針
２５    第１の押入針
２６    第１の引掛針
２７    第１の押入針
２８    第１の引掛針
２９    第１の押入針
３      第１のアダプタ
４      第２の電線保持部
４１    第２の電熱線
４２    第２の電熱線
４３    第２の電熱線
４４    第２の引掛針
４５    第１の押入針
４６    第２の引掛針
４７    第１の押入針
４８    第２の引掛針
４９    第１の押入針
５      第２のアダプタ
１００  把持工具
【図１】
0005989696.tif 000002
【図２】
0005989696.tif 000003
【図３】
0005989696.tif 000004
【図４】
0005989696.tif 000005
【図５】
0005989696.tif 000006